(57)【要約】【課題】データ書き込み時にも、データ読み出し時にも、レーザ出力パワーのモニタおよび制御を安定かつ高精度に行うことができ、データ読み取り特性やサーボ制御特性を向上させることができるようにする。【解決手段】パワーモニタ用の受光素子を高パワーモニタ用受光素子３１と低パワーモニタ用受光素子３２とに分割し、電流電圧変換アンプも高パワーモニタ用の電流電圧変換アンプ４３と低パワーモニタ用の電流電圧変換アンプ４４とに分ける。低パワーモニタ用受光素子３２の受光面積を高パワーモニタ用受光素子３１の受光面積より小さくし、低パワーモニタ用の電流電圧変換アンプ４４のゲインＧｒを高パワーモニタ用の電流電圧変換アンプ４３のゲインＧｗより大きくする。さらに高パワーモニタ用受光素子３１を４つの受光素子３１ａ〜３１ｄに分割し、受光素子３１ａ〜３１ｄの受光量が等しくなるようにパワーモニタ用受光部の位置を調整する。【選択図】図５
2009004004.tif 000002
【特許請求の範囲】
【請求項１】
レーザと、
このレーザの出射光を光ディスク照射用の光ビームとパワーモニタ用の光ビームとに分岐する光分岐素子と、
それぞれ上記パワーモニタ用の光ビームを受光する高パワーモニタ用受光素子および低パワーモニタ用受光素子からなるパワーモニタ用受光部と、
上記高パワーモニタ用受光素子の受光出力電流を受光出力電圧に変換する高パワーモニタ用の電流電圧変換アンプと、
上記低パワーモニタ用受光素子の受光出力電流を受光出力電圧に変換する低パワーモニタ用の電流電圧変換アンプと、
上記高パワーモニタ用の電流電圧変換アンプの出力の受光出力電圧に基づいて、相対的に高パワーを出力する時の上記レーザの出力パワーレベルを制御し、上記低パワーモニタ用の電流電圧変換アンプの出力の受光出力電圧に基づいて、相対的に低パワーを出力する時の上記レーザの出力パワーレベルを制御するパワー制御回路と、
を備える光学ヘッド装置。
【請求項２】
請求項１の光学ヘッド装置において、
上記低パワーモニタ用受光素子の受光面積が上記高パワーモニタ用受光素子の受光面積より小さく、かつ上記低パワーモニタ用の電流電圧変換アンプのゲインが上記高パワーモニタ用の電流電圧変換アンプのゲインより大きい光学ヘッド装置。
【請求項３】
請求項２の光学ヘッド装置において、
上記低パワーモニタ用受光素子は、受光面が円形で、上記パワーモニタ用受光部の中心部を構成し、上記高パワーモニタ用受光素子は、受光面が環状で、上記パワーモニタ用受光部の周辺部を構成する光学ヘッド装置。
【請求項４】
請求項２の光学ヘッド装置において、
上記高パワーモニタ用受光素子または上記低パワーモニタ用受光素子が、互いに受光面積が等しい複数の受光素子に分割され、その複数の受光素子の受光量が等しくなるように上記パワーモニタ用受光部の位置が調整された光学ヘッド装置。
【請求項５】
請求項１記載の光学ヘッド装置を備える光ディスク記録再生装置。
【発明の詳細な説明】
【技術分野】
【０００１】
この発明は、光ディスク用の光学ヘッドおよびその周辺の回路からなる光学ヘッド装置、および、その光学ヘッド装置を備える光ディスク記録再生装置に関する。
【背景技術】
【０００２】
光ディスク記録再生装置では、レーザ出射光を対物レンズで集光して光ディスク上に照射するが、レーザ出力パワーレベルが所定レベルとなるように、レーザ出射光を光ディスク照射用の光ビームとパワーモニタ用の光ビームとに分岐して、パワーモニタ用の光ビームをパワーモニタ用の受光素子で受光し、その受光出力信号に基づいて、レーザ駆動回路を制御し、レーザ駆動電流を制御する。
【０００３】
特許文献１（特開２００３−５９０８３号公報）には、レーザノイズを抑制してＳ／Ｎ（信号対ノイズ比）の高い再生信号を得るために、直流電流のレーザ駆動電流に数１００ＭＨｚの高周波電流を重畳してレーザを間欠的に発光させる場合において、パワーモニタ用の光ビームを平均パワーモニタ用受光素子およびピークパワーモニタ用受光素子で受光し、平均パワーモニタ用受光素子の受光出力信号に基づいて、レーザ出射光の平均パワーレベルが所定レベルとなるようにレーザ駆動電流を制御するとともに、ピークパワーモニタ用受光素子の受光出力信号に基づいて、レーザ出射光のピークパワーレベルが所定レベルとなるように上記の高周波電流の振幅を制御することが示されている。
【０００４】
上に挙げた先行技術文献は、以下の通りである。
【特許文献１】特開２００３−５９０８３号公報
【発明の開示】
【発明が解決しようとする課題】
【０００５】
従来の、レーザ出力パワーのモニタおよび制御は、上記の特許文献１のように、レーザ駆動電流に高周波電流を重畳する場合に、その高周波電流の振幅を制御する場合を別にして、パワーモニタ用受光部を構成する１つの受光素子で、レーザ出射光を受光し、電流電圧変換アンプで、その受光素子の受光出力電流を受光出力電圧に変換し、その受光出力電圧に基づいて、レーザ出力パワーレベルが所定レベルとなるようにレーザ駆動電流を制御する。
【０００６】
しかし、例えば、光ディスクにデータを書き込む時と、光ディスクからデータを読み出す時とでは、レーザ出力パワーレベルを大きく変える必要があり、具体的に、書き込み時のマーク形成時には、読み出し時に比べてパワーレベルを十分に高くし、しかも倍速を大きくするほどパワーレベルを高くし、さらに２層ディスクではパワーレベルをより高くする。
【０００７】
そのため、上記のようにパワーモニタ用の受光素子および電流電圧変換アンプを、書き込み時と読み出し時とで共通化し、同一のものとすると、ダイナミックレンジ内でマーク形成時のパワーレベルをより高くするとき、読み出し時の受光出力電圧はマーク形成時の受光出力電圧の数十分の１以下というような著しく低い値となり、装置製造上のばらつきや温度変化などによる制御特性のばらつきや変化がレーザ出力パワー制御に大きく影響して、レーザ駆動電流に大きな誤差として表れ、レーザ出力パワーレベルが所定レベルに対して大きくずれてしまって、データ読み出し性能などに悪影響を及ぼす。
【０００８】
そこで、この発明は、データ書き込み時のような高パワー出力時にも、データ読み出し時のような低パワー出力時にも、レーザ出力パワーのモニタおよび制御を安定かつ高精度に行うことができ、データ読み取り特性やサーボ制御特性を向上させることができるようにしたものである。
【課題を解決するための手段】
【０００９】
この発明の光学ヘッド装置は、
レーザと、
このレーザの出射光を光ディスク照射用の光ビームとパワーモニタ用の光ビームとに分岐する光分岐素子と、
それぞれ上記パワーモニタ用の光ビームを受光する高パワーモニタ用受光素子および低パワーモニタ用受光素子からなるパワーモニタ用受光部と、
上記高パワーモニタ用受光素子の受光出力電流を受光出力電圧に変換する高パワーモニタ用の電流電圧変換アンプと、
上記低パワーモニタ用受光素子の受光出力電流を受光出力電圧に変換する低パワーモニタ用の電流電圧変換アンプと、
上記高パワーモニタ用の電流電圧変換アンプの出力の受光出力電圧に基づいて、相対的に高パワーを出力する時の上記レーザの出力パワーレベルを制御し、上記低パワーモニタ用の電流電圧変換アンプの出力の受光出力電圧に基づいて、相対的に低パワーを出力する時の上記レーザの出力パワーレベルを制御するパワー制御回路と、
を備えるものである。
【００１０】
上記の構成の、この発明の光学ヘッド装置では、パワーモニタ用の受光素子を、高パワーモニタ用の受光素子と低パワーモニタ用の受光素子とに分割し、受光素子の受光出力電流を受光出力電圧に変換する電流電圧変換アンプも、高パワーモニタ用の電流電圧変換アンプと低パワーモニタ用の電流電圧変換アンプとに分けるので、高パワー出力時のレーザ出力パワーのモニタ制御特性および低パワー出力時のレーザ出力パワーのモニタ制御特性を、それぞれ適切に設定することができ、データ書き込み時のような高パワー出力時にも、データ読み出し時のような低パワー出力時にも、レーザ出力パワーのモニタおよび制御を安定かつ高精度に行うことができ、結果として、データ読み取り特性やサーボ制御特性を向上させることができる。
【発明の効果】
【００１１】
以上のように、この発明によれば、データ書き込み時のような高パワー出力時にも、データ読み出し時のような低パワー出力時にも、レーザ出力パワーのモニタおよび制御を安定かつ高精度に行うことができ、データ読み取り特性やサーボ制御特性を向上させることができる。
【発明を実施するための最良の形態】
【００１２】
［１．光ディスク記録再生装置の全体構成：図１］
図１は、この発明の光学ヘッド装置の一例を用いた、この発明の光ディスク記録再生装置の一例を示す。
【００１３】
光ディスク１０は、超解像光磁気ディスクなどの光磁気ディスクや、相変化型光ディスクなどである。
【００１４】
光学ヘッド２０は、半導体レーザ（レーザダイオード）２１、ビームスプリッタ２３、対物レンズ２５、受光素子ＩＣ（集積回路）２８およびパワーモニタ用受光部３０などを含むものとして構成される。
【００１５】
半導体レーザ２１から出射されたレーザ光１は、３ビーム法によるトラッキングエラー検出用に３本のビームを形成するグレーティング２２を介してビームスプリッタ２３に入射して、ビームスプリッタ２３を透過した光ビーム２とビームスプリッタ２３で反射した光ビーム３とに分岐される。
【００１６】
ビームスプリッタ２３を透過した光ビーム２は、コリメータレンズ２４で平行光とされて対物レンズ２５に入射し、対物レンズ２５によって光ディスク１０上に集光される。ビームスプリッタ２３で反射した光ビーム３は、パワーモニタ用受光部３０で受光される。
【００１７】
光ディスク１０に入射した光は、光ディスク１０の記録層で反射し、戻り光として、対物レンズ２５およびコリメータレンズ２４を介してビームスプリッタ２３に入射して、ビームスプリッタ２３で反射し、光ビーム５として示すように、光磁気ディスク用のウォラストンプリズム２６およびマルチレンズ２７を介して受光素子ＩＣ２８に入射して、受光素子ＩＣ２８の受光素子で受光される。
【００１８】
半導体レーザ２１は、レーザ駆動回路４１からのレーザ駆動電流Ｉｄによって駆動される。
【００１９】
パワーモニタ用受光部３０は、後述のように高パワーモニタ用受光素子３１と低パワーモニタ用受光素子３２とに分割される。
【００２０】
高パワーモニタ用受光素子３１の受光出力電流Ｉｗは、高パワーモニタ用の電流電圧変換アンプ４３で受光出力電圧Ｖｗに変換され、その受光出力電圧Ｖｗは、パワー制御回路４２に供給される。低パワーモニタ用受光素子３２の受光出力電流Ｉｒは、低パワーモニタ用の電流電圧変換アンプ４４で受光出力電圧Ｖｒに変換され、その受光出力電圧Ｖｒは、パワー制御回路４２に供給される。
【００２１】
さらに、高パワー出力時および低パワー出力時、コントローラ５１からパワー制御回路４２には、それぞれのレーザ出力パワーの目標レベル（目標値）を示す電圧が供給され、パワー制御回路４２は、高パワー出力時には、高パワーモニタ用受光素子３１による電流電圧変換アンプ４３からの受光出力電圧Ｖｗが高パワー出力時の目標レベル電圧に一致するように、レーザ駆動回路４１を制御し、レーザ駆動電流Ｉｄを制御するとともに、低パワー出力時には、低パワーモニタ用受光素子３２による電流電圧変換アンプ４４からの受光出力電圧Ｖｒが低パワー出力時の目標レベル電圧に一致するように、レーザ駆動回路４１を制御し、レーザ駆動電流Ｉｄを制御する。
【００２２】
受光素子ＩＣ２８は、再生信号、フォーカスエラー信号およびトラッキングエラー信号の検出用に分割された受光素子に対して、それぞれの受光出力電流を受光出力電圧に変換する電流電圧変換アンプや、その受光出力電圧を増幅するアンプなどが集積されたものである。
【００２３】
受光素子ＩＣ２８の受光出力信号Ｓｏは、光学ヘッド２０からＲＦアンプ５２に送出される。
【００２４】
さらに、受光素子ＩＣ２８の受光出力信号Ｓｏ中のフォーカスエラー信号およびトラッキングエラー信号は、ＲＦアンプ５２からサーボ制御回路５３に供給され、サーボ制御回路５３によって、光ディスク１０を回転駆動するスピンドルモータ（図では省略）、光学ヘッド２０および磁気ヘッド６１を光ディスク１０のラジアル方向に送るヘッド送り機構（図では省略）を駆動するヘッド送りモータ（図では省略）、および対物レンズ２５をフォーカス方向およびトラッキング方向に駆動する２軸アクチュエータ２９などの駆動が制御される。
【００２５】
受光素子ＩＣ２８の受光出力信号Ｓｏ中の再生信号は、ＲＦアンプ５２からＤＳＰ（Ｄｉｇｉｔａｌ  Ｓｉｇｎａｌ  Ｐｒｏｃｅｓｓｏｒ）５４に送出され、ＤＳＰ５４で処理される。
【００２６】
光ディスク１０が超解像光磁気ディスクなどの光磁気ディスクである場合には、データ書き込み時、ＤＳＰ５４によってヘッド駆動回路６２が制御され、ヘッド駆動回路６２から磁気ヘッド６１に駆動電流が供給される。
【００２７】
［２．レーザ出力パワーのモニタおよび制御：図２〜図６］
（２−１．レーザ出力パワーレベル：図２）
例えば、ＤＶＤ−ＲＷ（ＤＶＤ−Ｒｅｗｒｉｔａｂｌｅ）では、図２に示すように、レーザ出力パワーレベルは、データ読み出し時には、低いパワーレベルＬｒとされ、データ書き込み時のマーク形成時には、読み出し時のパワーレベルＬｒより十分高いパワーレベルＬｗとされ、スペース形成時（消去時）にも、マーク形成時ほどではないが、読み出し時のパワーレベルＬｒより高いパワーレベルＬｅとされる。
【００２８】
さらに、書き込み時のパワーレベルＬｗ，Ｌｅは、図において複数段階で示すように、倍速によっても変化し、マーク形成時のパワーレベルＬｗは、読み出し時のパワーレベルＬｒの数十倍にされることもある。
【００２９】
そのため、上記のようにパワーモニタ用の受光素子および電流電圧変換アンプを、書き込み時と読み出し時とで共通化し、同一のものとすると、マーク形成時のパワーレベルＬｗの読み出し時のパワーレベルＬｒに対する比率Ｌｗ／Ｌｒが著しく大きいときには、読み出し時の受光出力電圧が著しく小さくなってしまう。
【００３０】
そのため、この発明では、上述したように、具体的には以下の例に示すように、パワーモニタ用の受光素子を、高パワーモニタ用受光素子３１と低パワーモニタ用受光素子３２とに分割し、受光素子の受光出力電流を受光出力電圧に変換する電流電圧変換アンプも、高パワーモニタ用の電流電圧変換アンプ４３と低パワーモニタ用の電流電圧変換アンプ４４とに分ける。
【００３１】
図２のようにスペース形成時も読み出し時よりパワーレベルを高くする場合には、高パワーモニタ用は、マーク形成時およびスペース形成時のパワーモニタ用であり、低パワーモニタ用は、読み出し時のパワーモニタ用である。
【００３２】
これに対して、例えば、ＤＶＤ−Ｒ（ＤＶＤ−Ｒｅｃｏｒｄａｂｌｅ）では、スペース形成時は、読み出し時と同じで、低いパワーレベルとされる。この場合は、マーク形成時が高パワー出力時であり、スペース形成時および読み出し時が低パワー出力時である。
【００３３】
（２−２．パワーモニタ用の受光素子および電流電圧変換アンプの第１の例：図３）
図３に、図１に示したパワーモニタ用受光部３０および電流電圧変換アンプ４３，４４の一例を示す。
【００３４】
この例では、パワーモニタ用受光部３０全体としては、受光面を円形にし、高パワーモニタ用受光素子３１は、その受光面を内角が１８０度より大きい扇形とし、低パワーモニタ用受光素子３２は、その受光面を内角が１８０度より小さい扇形として、低パワーモニタ用受光素子３２の受光面積を高パワーモニタ用受光素子３１の受光面積より小さくする。
【００３５】
図３は、図１に示したパワーモニタ用の光ビーム３のスポット３ｓがパワーモニタ用受光部３０全体の受光面内に収まる集光型にする場合で、この場合には、スポット３ｓの中心がパワーモニタ用受光部３０全体の受光面の中心に位置し、スポット３ｓが高パワーモニタ用受光素子３１の受光面と低パワーモニタ用受光素子３２の受光面とにまたがるようにする。
【００３６】
さらに、この例では、低パワーモニタ用受光素子３２の受光出力電流Ｉｒを受光出力電圧Ｖｒに変換する低パワーモニタ用の電流電圧変換アンプ４４のゲインＧｒを、高パワーモニタ用受光素子３１の受光出力電流Ｉｗを受光出力電圧Ｖｗに変換する高パワーモニタ用の電流電圧変換アンプ４３のゲインＧｗより大きくする。
【００３７】
したがって、この例では、図示するように集光型とし、スポット３ｓ全体の光量をＰｘ、高パワーモニタ用受光素子３１の受光面積Ｓｗ中のスポット３ｓが照射される領域部分の面積をＳｗｓ、低パワーモニタ用受光素子３２の受光面積Ｓｒ中のスポット３ｓが照射される領域部分の面積をＳｒｓとすると、
Ｖｗ＝ｋ×Ｐｘ×｛Ｓｗｓ／（Ｓｗｓ＋Ｓｒｓ）｝×Ｇｗ  …（１）
Ｖｒ＝ｋ×Ｐｘ×｛Ｓｒｓ／（Ｓｗｓ＋Ｓｒｓ）｝×Ｇｒ  …（２）
となる。ｋは、受光量から受光出力電流への変換係数（変換効率）である。
【００３８】
この例では、高パワー出力時、すなわち図２の場合は書き込み時のマーク形成時およびスペース形成時、高パワーモニタ用の電流電圧変換アンプ４３の出力の受光出力電圧Ｖｗは、扱いやすいレベルになるとともに、電流電圧変換アンプ４３のゲインＧｗを電流電圧変換アンプ４４のゲインＧｒより小さくするので、必要以上に高レベルとなることがなく、レーザ出力パワーのモニタおよび制御を安定かつ高精度に行うことができる。
【００３９】
一方、低パワー出力時には、すなわち図２の場合は読み出し時には、低パワーモニタ用の電流電圧変換アンプ４４のゲインＧｒを大きくすることによって、上記のようにマーク形成時のパワーレベルＬｗの読み出し時のパワーレベルＬｒに対する比率Ｌｗ／Ｌｒが著しく大きいときでも、受光出力電圧Ｖｒとして高いレベルの信号電圧が得られる。
【００４０】
したがって、読み出し時にも、レーザ出力パワーのモニタおよび制御を安定かつ高精度に行うことができ、結果として、データ読み取り特性やサーボ制御特性を向上させることができる。
【００４１】
フォトダイオードなどの受光素子の寄生容量は受光面積に比例し、受光素子の受光面積が大きく、寄生容量が大きいと、受光出力電流から受光出力電圧への変換のゲインを決定する抵抗値を大きくすることが難しく、ゲインを大きくすることが難しい。
【００４２】
しかし、低パワーモニタ用受光素子３２は、受光面積を小さくするので、寄生容量が小さくなり、上記のように低パワーモニタ用の電流電圧変換アンプ４４のゲインＧｒを大きくすることができる。
【００４３】
しかも、低パワーモニタ用受光素子３２の受光面積を小さくし、寄生容量を小さくすることによって、低パワーモニタ用受光素子３２の周波数特性を高域側に広帯域化することができる。
【００４４】
なお、低パワーモニタ用の電流電圧変換アンプ４４のゲインＧｒを大きくすると、データ書き込み中に電流電圧変換アンプ４４の出力の受光出力電圧Ｖｒが飽和することが考えられる。そして、データ書き込み中に電流電圧変換アンプ４４の出力の受光出力電圧Ｖｒが飽和すると、データ読み出しに移行したとき、受光出力電圧Ｖｒが低下するのに時間がかかり、データ読み出しに応じたパワー制御が実行されるのに時間がかかる。
【００４５】
そのため、低パワーモニタ用の電流電圧変換アンプ４４にリミッタ特性を持たせて、電流電圧変換アンプ４４の出力の受光出力電圧Ｖｒが飽和しないようにすることが望ましい。
【００４６】
図３は、集光型にする場合であるが、パワーモニタ用の光ビーム３がパワーモニタ用受光部３０全体の受光面の周囲にまで渡る非集光型とすることもできる。
【００４７】
（２−３．パワーモニタ用の受光素子および電流電圧変換アンプの第２の例：図４）
図４に、図１に示したパワーモニタ用受光部３０および電流電圧変換アンプ４３，４４の他の例を示す。
【００４８】
この例でも、パワーモニタ用受光部３０全体としては、受光面を円形にするが、この例では、低パワーモニタ用受光素子３２は、その受光面を円形にして、パワーモニタ用受光部３０の中心部に配し、高パワーモニタ用受光素子３１は、その受光面を環状にして、低パワーモニタ用受光素子３２を取り囲むように配して、低パワーモニタ用受光素子３２の受光面積を高パワーモニタ用受光素子３１の受光面積より小さくする。
【００４９】
図４も、集光型にする場合で、パワーモニタ用の光ビーム３のスポット３ｓの中心が低パワーモニタ用受光素子３２の受光面の中心に位置し、スポット３ｓが低パワーモニタ用受光素子３２の受光面と高パワーモニタ用受光素子３１の受光面とにまたがるようにする。ただし、この例でも、非集光型としてもよい。
【００５０】
さらに、この例でも、低パワーモニタ用の電流電圧変換アンプ４４のゲインＧｒを、高パワーモニタ用の電流電圧変換アンプ４３のゲインＧｗより大きくする。
【００５１】
光ビーム３は光軸に垂直な面内では中心部ほど光強度が高いので、この例では、受光出力電流Ｉｗと受光出力電流Ｉｒとの比率Ｉｒ／Ｉｗは、式（１）（２）中の面積Ｓｗｓと面積Ｓｒｓとの比率が同じであれば、図３の例の場合より大きくなる。
【００５２】
この例でも、図３の例と同様に、データ書き込み時にも、データ読み出し時にも、レーザ出力パワーのモニタおよび制御を安定かつ高精度に行うことができ、結果として、データ読み取り特性やサーボ制御特性を向上させることができる。
【００５３】
（２−４．パワーモニタ用受光部の位置調整：図５および図６）
上記のようにパワーモニタ用受光部３０は、パワーモニタ用の光ビーム３のスポット３ｓの中心がパワーモニタ用受光部３０全体の受光面の中心に位置するように、光ビーム３の光軸に垂直な面方向における位置を調整するが、例えば、受光面積が大きい方の高パワーモニタ用受光素子３１を、さらに複数の受光素子に分割すれば、その調整を容易かつ確実に行うことができる。
【００５４】
図５に、その場合の一例を示す。この例は、図４の例で、高パワーモニタ用受光素子３１を、９０度の角間隔で４つの受光素子３１ａ，３１ｂ，３１ｃおよび３１ｄに分割する場合である。
【００５５】
受光素子３１ａ，３１ｂ，３１ｃおよび３１ｄは、それぞれスイッチ４５ａ，４５ｂ，４５ｃおよび４５ｄを介して、高パワーモニタ用の電流電圧変換アンプ４３に接続する。
【００５６】
そして、製品出荷前の調整時には、例えば、図６（Ａ）に示すように、パワーモニタ用の光ビーム３のスポット３ｓをパワーモニタ用受光部３０に照射した状態で、スイッチ４５ａ，４５ｂ，４５ｃおよび４５ｄを順次オンにし、受光素子３１ａ，３１ｂ，３１ｃおよび３１ｄを順次選択して、電流電圧変換アンプ４３の出力の受光出力電圧Ｖｗによって、受光素子３１ａ，３１ｂ，３１ｃおよび３１ｄの受光量を順次モニタする。
【００５７】
図６（Ａ）のようにパワーモニタ用受光部３０のスポット３ｓに対する位置がずれている場合には、受光素子３１ａ，３１ｂ，３１ｃおよび３１ｄの受光量が等しくならないのに対して、図６（Ｂ）のようにパワーモニタ用受光部３０のスポット３ｓに対する位置がずれていない場合には、受光素子３１ａ，３１ｂ，３１ｃおよび３１ｄの受光量が全て等しくなる。
【００５８】
したがって、受光素子３１ａ，３１ｂ，３１ｃおよび３１ｄの受光量が全て等しくなるように、パワーモニタ用受光部３０の位置を調整する。
【００５９】
位置を調整したら、パワーモニタ用受光部３０を調整後の位置に固定し、スイッチ４５ａ，４５ｂ，４５ｃおよび４５ｄをオンにして、出荷する製品としては、受光素子３１ａ，３１ｂ，３１ｃおよび３１ｄを１つの高パワーモニタ用受光素子３１として機能させる。
【００６０】
図３の例でも、同様に、高パワーモニタ用受光素子３１を複数の受光素子に分割して、パワーモニタ用受光部３０の位置を調整することができる。
【００６１】
低パワーモニタ用受光素子３２を複数の受光素子に分割して、パワーモニタ用受光部３０の位置を調整することもできるが、低パワーモニタ用受光素子３２の受光面積は小さいので、上記のように受光面積の大きい高パワーモニタ用受光素子３１を複数の受光素子に分割する方が望ましい。
【００６２】
また、以上は集光型に構成する場合であるが、非集光型に構成する場合でも、集光型に構成する場合ほどではないが、パワーモニタ用受光部３０上でパワーモニタ用の光ビーム３は強度分布を有するので、パワーモニタ用受光部３０の高パワーモニタ用受光素子３１または低パワーモニタ用受光素子３２を、受光面積が等しい複数の受光素子に分割し、それぞれの受光素子の受光量が全て等しくなるように、パワーモニタ用受光部３０のパワーモニタ用の光ビーム３の光軸に垂直な面方向における位置を調整する。
【図面の簡単な説明】
【００６３】
【図１】この発明の光学ヘッド装置の一例を用いた、この発明の光ディスク記録再生装置の一例を示す図である。
【図２】レーザ出力パワーレベルの説明に供する図である。
【図３】パワーモニタ用受光部の一例を示す図である。
【図４】パワーモニタ用受光部の一例を示す図である。
【図５】パワーモニタ用受光部の一例を示す図である。
【図６】図５の例での位置調整の説明に供する図である。
【符号の説明】
【００６４】
主要部については図中に全て記述したので、ここでは省略する。
【図１】
2009004004.tif 000003
【図２】
2009004004.tif 000004
【図３】
2009004004.tif 000005
【図４】
2009004004.tif 000006
【図５】
2009004004.tif 000007
【図６】
2009004004.tif 000008